(57)【要約】【課題】メディアやイベントにおいて使用された商品を、メディアやイベントと連動して即時にかつ網羅的に紹介するアフィリエイトシステムを実現可能なサーバ及びその方法を提供する。【解決手段】権利付与サーバ１のアフィリエイト収入権付与手段１２は、商品登録者端末３からメディアやイベントにおいて使用された商品の登録情報を受け付けると、当該商品について最先の登録を行った商品登録者端末３にアフィリエイト収入権を付与する。また、権利付与サーバ１のアフィリエイト情報送信手段１７は、アフィリエイト収入権が付与された商品登録者端末３の情報を商品販売サーバ７に送信する。【選択図】図１
2010102634.tif 000002
【特許請求の範囲】
【請求項１】
様々なメディアやイベントと関連する商品についての情報を、前記メディアやイベントと連動して提供するサーバであって、
商品販売サイトを運営する商品販売サーバ及びユーザ端末と通信可能に接続され、
前記商品販売サーバで販売される商品を前記メディアやイベントと関連付けて登録する情報を前記ユーザ端末から受け付ける商品登録受付手段と、
登録された商品が販売された場合に付与される報酬を受け取る権利を、前記登録を行ったユーザ端末のうち登録の早い順序に応じて順序づけされたユーザ端末に付与するアフィリエイト収入権付与手段と、
登録情報に基づいて、前記商品を掲載し、掲載された商品の購入に関する情報及び当該商品について前記権利が付与されたユーザ端末の情報を前記商品販売サーバに送信する送信手段と、
を備えることを特徴とするサーバ。
【請求項２】
商品の登録及び探索を行うための商品登録・探索ページを、前記メディアやイベントと関連付けて提供する登録探索提供手段を更に備えることを特徴とする請求項１に記載のサーバ。
【請求項３】
前記商品登録・探索ページは、前記メディアやイベントのスケジュール表示であることを特徴とする請求項２に記載のサーバ。
【請求項４】
前記商品ページ提供手段により掲載された前記商品が前記メディアやイベントと関連するか否かについて、ユーザ端末からの評価を受け付ける評価受付手段を更に備えることを特徴とする請求項１から３のいずれか記載のサーバ。
【請求項５】
様々なメディアやイベントと関連する商品についての情報を、前記メディアやイベントと連動して提供する方法であって、
商品販売サイトを運営する商品販売サーバで販売される商品を前記メディアやイベントと関連付けて登録する情報をユーザ端末から受け付けるステップと、
登録された商品が販売された場合に付与される報酬を受け取る権利を、前記登録を行ったユーザ端末のうち登録の早い順序に応じて順序づけされたユーザ端末に付与するステップと、
登録情報に基づいて、前記商品を掲載し、掲載された商品の購入に関する情報及び当該商品について前記権利が付与されたユーザ端末の情報を前記商品販売サーバに送信するステップと、
を備えることを特徴とする方法。
【請求項６】
商品の登録及び探索を行うための商品登録・探索ページを、前記メディアやイベントと関連付けて提供するステップを更に備えることを特徴とする請求項５に記載の方法。
【請求項７】
前記商品登録・探索ページは、前記メディアやイベントのスケジュール表示であることを特徴とする請求項６に記載の方法。
【請求項８】
掲載された前記商品が前記メディアやイベントと関連するか否かについて、ユーザ端末からの評価を受け付けるステップを更に備えることを特徴とする請求項５から７のいずれか記載の方法。
【発明の詳細な説明】
【技術分野】
【０００１】
本発明は、様々なメディアやイベントと関連する商品についての情報を、これらメディアやイベントと連動して提供するサーバ及びその方法に関する。
【背景技術】
【０００２】
今日ではＷｅｂページ上の広告方法として、Ｗｅｂページ上に広告主のページへ遷移するリンク等を広告主が用意することで、ユーザがＷｅｂページ上のリンクを選択すると、広告主のページへのリンク情報を有するＷｅｂページの管理者に、広告主から報酬が支払われるアフィリエイトという仕組みが知られている。
【０００３】
このようなアフィリエイトシステムとして、例えば、特許文献１には、仮想店舗サイトの広告を掲載し、この広告をクリックしたユーザが当該仮想店舗において商品を購入した場合に、広告を掲載したＷｅｂページの管理者に紹介手数料が支払われる仕組みが記載されている。
【特許文献１】特開２００２−０５６２９５号公報
【発明の開示】
【発明が解決しようとする課題】
【０００４】
また、近年においては、ドラマ等のＴＶ放送（メディア）やコンサート等のイベントにおいて出演者が使用している商品を視聴者が入手を望むことがあり、視聴者のニーズに応えるため、メディアやイベントや出演者と関連付けてこのような商品を紹介することが行われるようになってきている。そして、このような場合における商品の紹介においても上述のアフィリエイトシステムが用いられている。
【０００５】
しかしながら、現状においては、このような商品の紹介は商品を販売する業者や、メディアやイベントを管理する業者により登録されるものであり、当該業者の思惑によっては紹介されない商品もあり、使用された商品を網羅的に紹介することはなかった。また、商品を紹介するタイミングも業者の思惑によって異なることがあり、使用された後時間がたってから商品が紹介される場合もあった。
【０００６】
そこで、本発明は、メディアやイベントにおいて使用された商品を、メディアやイベントと連動して即時にかつ網羅的に紹介するアフィリエイトシステムを実現可能なサーバ及びその方法を提供することを目的とする。
【課題を解決するための手段】
【０００７】
（１）  様々なメディアやイベントと関連する商品についての情報を、前記メディアやイベントと連動して提供するサーバであって、
商品販売サイトを運営する商品販売サーバ及びユーザ端末と通信可能に接続され、
前記商品販売サーバで販売される商品を前記メディアやイベントと関連付けて登録する情報を前記ユーザ端末から受け付ける商品登録受付手段と、
登録された商品が販売された場合に付与される報酬を受け取る権利を、前記登録を行ったユーザ端末のうち登録の早い順序に応じて順序づけされたユーザ端末に付与するアフィリエイト収入権付与手段と、
登録情報に基づいて、前記商品を掲載し、掲載された商品の購入に関する情報及び当該商品について前記権利が付与されたユーザ端末の情報を前記商品販売サーバに送信する送信手段と、
を備えることを特徴とするサーバ。
【０００８】
本発明のこのような構成によれば、アフィリエイト収入権付与手段は、メディアやイベントで使用された商品を登録したユーザ端末のうち登録の早い順序に応じて順序づけされたユーザ端末に報酬を受け取る権利を付与する。これにより、メディアやイベントが行われると、当該メディアやイベントで使用された商品は、ユーザ端末のユーザにより早急に登録されることが期待でき、商品の登録をメディアやイベントと連動して行うことができる。
また、商品の登録はユーザ端末により行われるため、商品を販売する業者や、メディアやイベントを管理する業者の思惑とは関係なく、商品の登録が行われる。これにより、メディアやイベントで使用された商品は網羅的に登録されることとなり、ユーザは様々な商品を選択することができる。
【０００９】
その結果、本発明の構成によれば、メディアやイベントにおいて使用された商品を、メディアやイベントと連動して即時にかつ網羅的に紹介するアフィリエイトシステムを実現することができる。
【００１０】
（２）  商品の登録及び探索を行うための商品登録・探索ページを、前記メディアやイベントと関連付けて提供する登録探索提供手段を更に備えることを特徴とする（１）に記載のサーバ。
【００１１】
本発明のこのような構成によれば、ユーザは、使用されたメディアやイベントと関連したページから商品の登録及び探索を行うことができる。その結果、使用されたメディアやイベントと関連付けた商品の登録を容易に行うことができ、また、目的とする商品を容易に探索することができる。
【００１２】
（３）  前記商品登録・探索ページは、前記メディアやイベントのスケジュール表示であることを特徴とする（２）に記載のサーバ。
【００１３】
本発明のこのような構成によれば、商品の登録及び探索を容易に行うことができる。
【００１４】
（４）  前記商品ページ提供手段により掲載された前記商品が前記メディアやイベントと関連するか否かについて、ユーザ端末からの評価を受け付ける評価受付手段を更に備えることを特徴とする（１）から（３）のいずれか記載のサーバ。
【００１５】
本発明のこのような構成によれば、登録された商品がメディアやイベントで真に使用された商品であるかについて、客観的な評価を受けることができる。
【００１６】
（５）  様々なメディアやイベントと関連する商品についての情報を、前記メディアやイベントと連動して提供する方法であって、
商品販売サイトを運営する商品販売サーバで販売される商品を前記メディアやイベントと関連付けて登録する情報をユーザ端末から受け付けるステップと、
登録された商品が販売された場合に付与される報酬を受け取る権利を、前記登録を行ったユーザ端末のうち登録の早い順序に応じて順序づけされたユーザ端末に付与するステップと、
登録情報に基づいて、前記商品を掲載し、掲載された商品の購入に関する情報及び当該商品について前記権利が付与されたユーザ端末の情報を前記商品販売サーバに送信するステップと、
を備えることを特徴とする方法。
【００１７】
（６）  商品の登録及び探索を行うための商品登録・探索ページを、前記メディアやイベントと関連付けて提供するステップを更に備えることを特徴とする（５）に記載の方法。
【００１８】
（７）  前記商品登録・探索ページは、前記メディアやイベントのスケジュール表示であることを特徴とする（６）に記載の方法。
【００１９】
（８）  掲載された前記商品が前記メディアやイベントと関連するか否かについて、ユーザ端末からの評価を受け付けるステップを更に備えることを特徴とする（５）から（７）のいずれか記載の方法。
【００２０】
（５）〜（８）のような構成によれば、（１）〜（４）と同様の効果を奏することができる。
【発明の効果】
【００２１】
本発明によれば、メディアやイベントにおいて使用された商品を、メディアやイベントと連動して即時にかつ網羅的に紹介するアフィリエイトシステムを実現することができる。
【発明を実施するための最良の形態】
【００２２】
以下、本発明を実施するための最良の形態について図を参照しながら説明する。なお、これはあくまでも一例であって、本発明の技術的範囲はこれに限られるものではない。
【００２３】
（実施形態）
［アフィリエイト権利付与システムの全体構成］
図１は、本実施形態に係る権利付与サーバ１を含むアフィリエイト権利付与システム１００の全体構成を示す図である。
【００２４】
アフィリエイト権利付与システム１００は、権利付与サーバ１と、商品登録者端末３と、商品購入者端末５と、商品販売サーバ７と、により構成される。なお、これら各種のサーバ及び端末は、インターネット等の通信回線に代表される通信ネットワークを介して、互いに通信可能に接続されている。
【００２５】
権利付与サーバ１は、商品登録受付手段１１と、アフィリエイト収入権付与手段１２と、商品ページ提供手段１３と、商品探索受付手段１４と、商品購入受付手段１５と、商品購入情報送信手段１６と、アフィリエイト情報送信手段１７と、を備える。
【００２６】
商品登録受付手段１１は、商品登録を行う一般のユーザの端末（商品登録者端末３）から、テレビ、雑誌等の各種メディアやコンサート等のイベントで使用された商品に関する情報の登録を受け付ける。アフィリエイト収入権付与手段１２は、登録した商品が購入された場合に報酬を受けることができる権利（収入権）を、商品を登録したユーザに付与する。具体的には、登録した商品と登録したユーザとを対応付けて図示しない記憶手段に記憶する。なお、同一の商品についての収入権の付与は２以上のユーザには行われず、最も早く登録したユーザにのみ収入権の付与が行われる。
【００２７】
商品ページ提供手段１３は、登録された商品を紹介する商品ページを作成し、インターネット上に提供する。商品探索受付手段１４は、メディアやイベントで使用された商品を望むユーザ（商品購入者）による当該商品の探索を受け付ける。なお、本実施の形態では、テレビ・映画・演劇等のスケジュール表（番組表）を提供することで、メディアやイベントで使用された商品を探索しやすくしている（図４参照）。商品購入受付手段１５は、商品購入者による、提供された商品ページに掲載された商品に対する商品購入の選択を受け付ける。
【００２８】
商品購入情報送信手段１６は、購入される商品及び購入するユーザについての情報（商品購入情報）を、商品販売サーバ７に送信する。なお、購入される商品を販売している商品販売サーバ７は、商品登録者が登録した情報（例えば、販売社情報（販売サイト、リンク情報））により特定する。アフィリエイト情報送信手段１７は、商品を登録したユーザ、即ち商品が販売されることにより報酬を受けるべきユーザ、についての情報（アフィリエイト情報）を、商品販売サーバ７に送信する。
【００２９】
商品登録者端末３及び商品購入者端末５は、ユーザが操作入力をするためのキーボード、マウス等の入力部や、コンテンツを表示する表示画面を備えた装置である。商品登録者端末３及び商品購入者端末５を用いて、ユーザは、メディアやイベントで使用された商品を登録したり、登録された商品を購入したりすることができる。商品販売サーバ７は、商品販売サイトを運営するためのサーバである。
【００３０】
商品販売サーバ７の運営する商品販売サイトの商品が購入されると、商品販売サーバ７は、商品購入者に代金の支払いを求め商品の提供を行うと共に、商品登録者に商品が購入されたことに伴う報酬を付与する。
【００３１】
［権利付与サーバ１のハードウェア構成図］
図２は、本実施の形態に係る権利付与サーバ１のハードウェア構成を示す図である。本発明が実施されるサーバは標準的なものでよく、以下に構成の一例を示す。なお、権利付与サーバ１は、ハードウェアの数に制限はなく、必要に応じて１又は複数のハードウェアで構成してよい。また、複数のハードウェアで構成する場合には、通信ネットワークを介して各ハードウェアを接続してもよい。例えば、各機能毎に別サーバとし、各サーバ間での信号の送受信により、各サーバを連携させることで、本実施の形態における機能を実現してもよい。
【００３２】
権利付与サーバ１は、制御部１０を構成するＣＰＵ（Ｃｅｎｔｒａｌ  Ｐｒｏｃｅｓｓｉｎｇ  Ｕｎｉｔ）１０１０（マルチプロセッサ構成ではＣＰＵ１０１２等複数のＣＰＵが追加されてもよい）、バスライン１００５、通信Ｉ／Ｆ（Ｉ／Ｆ：インターフェイス）１０４０、メインメモリ１０５０、ＢＩＯＳ（Ｂａｓｉｃ  Ｉｎｐｕｔ  Ｏｕｔｐｕｔ  Ｓｙｓｔｅｍ）１０６０、表示装置１０２２、Ｉ／Ｏコントローラ１０７０、キーボード及びマウス等の入力装置１１００、ハードディスク１０７４、光ディスクドライブ１０７６、並びに半導体メモリ１０７８を備える。なお、ハードディスク１０７４、光ディスクドライブ１０７６、及び半導体メモリ１０７８はまとめて記憶部２０と呼ぶ。
【００３３】
制御部１０は、権利付与サーバ１を統括的に制御する部分であり、ハードディスク１０７４に記憶された各種プログラムを適宜読み出して実行することにより、上述したハードウェアと協働し、本発明に係る各種機能を実現している。
【００３４】
通信Ｉ／Ｆ１０４０は、権利付与サーバ１が、通信ネットワークを介して商品登録者端末３、商品購入者端末５、及び商品販売サーバ７（図１）と情報を送受信する場合のネットワーク・アダプタである。通信Ｉ／Ｆ１０４０は、モデム、ケーブル・モデム及びイーサネット（登録商標）・アダプタを含んでよい。
【００３５】
ＢＩＯＳ１０６０は、権利付与サーバ１の起動時にＣＰＵ１０１０が実行するブートプログラムや、権利付与サーバ１のハードウェアに依存するプログラム等を記録する。
【００３６】
表示装置１０２２は、ブラウン管表示装置（ＣＲＴ）、液晶表示装置（ＬＣＤ）等のディスプレイ装置を含む。
【００３７】
Ｉ／Ｏコントローラ１０７０には、ハードディスク１０７４、光ディスクドライブ１０７６、及び半導体メモリ１０７８等の記憶装置である記憶部２０を接続することができる。
【００３８】
入力装置１１００は、権利付与サーバ１の管理者による入力の受け付けを行うものである。
【００３９】
ハードディスク１０７４は、本ハードウェアを権利付与サーバ１として機能させるための各種プログラム、本発明の機能を実行するプログラム及びＤＢのテーブル及びレコードを記憶する。なお、権利付与サーバ１は、外部に別途設けたハードディスク（図示せず）を外部記憶装置として利用することもできる。
【００４０】
光ディスクドライブ１０７６としては、例えば、ＤＶＤ−ＲＯＭドライブ、ＣＤ−ＲＯＭドライブ、ＤＶＤ−ＲＡＭドライブ、ＣＤ−ＲＡＭドライブを使用することができる。この場合は各ドライブに対応した光ディスク１０７７を使用する。光ディスク１０７７から光ディスクドライブ１０７６によりプログラム又はデータを読み取り、Ｉ／Ｏコントローラ１０７０を介してメインメモリ１０５０又はハードディスク１０７４に提供することもできる。
【００４１】
なお、本発明でいうコンピュータとは、記憶装置、制御部等を備えた情報処理装置をいい、権利付与サーバ１は、記憶部２０、制御部１０等を備えた情報処理装置により構成され、この情報処理装置は、本発明のコンピュータの概念に含まれる。
【００４２】
［商品登録者端末３、商品購入者端末５、商品販売サーバ７のハードウェア構成］
商品登録者端末３、商品購入者端末５、及び商品販売サーバ７も、上述の権利付与サーバ１と同様な構成を持つ。なお、記憶部２０は、光ディスクドライブ１０７６に代えて外部メモリを挿入可能なドライブであってもよい。
【００４３】
［アフィリエイト権利付与システム１００の基本処理］
図３を参照してアフィリエイト権利付与システム１００の基本処理、即ち、様々なメディアやイベントと関連する商品についての情報をメディアやイベントと連動して提供する方法について説明する。
【００４４】
Ｓ１１：権利付与サーバ１は、商品登録受付ページを提供し、ユーザからの商品登録を受け付ける。なお、商品登録受付ページとしては、テレビ番組表等の各種スケジュール表を提供することで、メディアやイベントで使用された商品の登録を受け付けやすくすることができる。
【００４５】
Ｓ３１：商品登録者端末３は、提供された商品登録受付ページから該当するメディアやイベントで使用された商品を登録する。
【００４６】
Ｓ１２：商品登録を受け付けると、権利付与サーバ１のアフィリエイト収入権付与手段１２は、登録したユーザに収入権を付与する。なお、同一の商品についての収入権の付与は最も早く商品登録を行った１のユーザにのみ行われる。
【００４７】
Ｓ１３：また、権利付与サーバ１の商品ページ提供手段１３は、商品登録に基づいて登録された商品の情報を掲載した商品ページを提供する。
【００４８】
Ｓ５１、Ｓ５２：商品ページが提供されると、商品購入者端末５は、この商品ページを参照してユーザが望む商品を探索し、ユーザの意志に基づいて商品購入の選択を行う。
【００４９】
Ｓ１４：権利付与サーバ１の商品購入受付手段１５が商品購入者端末５から商品購入の選択を受け付けると、商品購入情報送信手段１６は商品購入情報を商品販売サーバ７に送信し、アフィリエイト情報送信手段１７はアフィリエイト情報を商品販売サーバ７に送信する。
【００５０】
Ｓ７１、Ｓ５３：購入される商品及び商品購入者についての情報が送信されると、商品販売サーバ７は、商品購入者（商品購入者端末５）との間で商品の提供及び代金支払いのやり取りを行う。
【００５１】
Ｓ７２：代金の支払いを受けると、商品販売サーバ７は、商品登録者に商品が購入されたことに伴う報酬を付与する。
【００５２】
このように本実施の形態によれば、アフィリエイトによる報酬が、最も早く商品登録を行ったユーザに付与されるため、メディアやイベントで使用された商品は、メディアやイベントに連動して直ちに登録されることになり、商品宣伝について即時性に富んだものとすることができる。
【００５３】
また、一般のユーザにより商品登録が行われるため、使用された商品を網羅的に登録することができ、メディアやイベントの管理者や商品を販売する業者の思惑に関わらず、真にユーザが望む商品の登録を期待することができる。
【００５４】
なお、本実施の形態では、アフィリエイト情報は、商品購入を受け付けるたときに商品購入情報と合わせて送信することとしている（Ｓ１４）が、これに限られるものではなく、例えば、Ｓ１２において収入権を商品登録者に付与すると共にアフィリエイト情報を商品販売サーバ７に送信することとしてもよい。
【００５５】
［アフィリエイト権利付与システム１００の基本動作］
このような処理に基づくアフィリエイト権利付与システム１００の基本動作について、図４〜図６を参照して説明する。
【００５６】
［商品登録の受付及び商品探索の受付］
図４は、商品登録の受付及び商品探索の受付の具体例を示す図である。
【００５７】
権利付与サーバ１は、メディアやイベントで使用された商品の登録及び探索を受け付けるために、商品登録・探索ページを提供する。なお、商品登録・探索ページとしては各種スケジュール表のようなものが考えられるが、本実施の形態では、商品登録・探索ページとして、テレビの番組表２０１を用いて説明する。
【００５８】
番組表２０１には、テレビ番組を紹介する欄に商品登録受付ボタン２１１及び商品探索ボタン２１３が表示される。ユーザは、商品登録受付ボタン２１１を操作することにより、当該番組で使用された商品を登録することができ、また、商品探索ボタン２１３を操作することにより、当該番組で使用された商品を探索することができる。
【００５９】
例えば、商品登録者ＸがＴＶを視聴し「××ドラマ」で「主演△△」が使用している「バット」を登録しようとした場合には、商品登録者Ｘは権利付与サーバ１が提供する番組表２０１の商品登録受付ボタン２１１を操作する。同様に、「××ドラマ」を視聴した商品購入者Ｙが、当該ドラマで使用されていた商品の購入を望んだ場合には、権利付与サーバ１が提供する番組表２０１の商品探索ボタン２１２を操作するで、既に登録されている商品の探索を行うことができる。
【００６０】
［商品登録画面］
次に、図５を参照して、商品登録受付ボタン２１１が操作された場合の商品登録画面２３０について説明する。商品登録画面２３０には、対象商品入力欄２３１と、商品名入力欄２３２と、商品画像データ入力欄２３３と、販売サイト・リンク情報入力欄２３４と、登録者情報入力欄２３５と、登録ボタン２３６と、が表示される。
【００６１】
対象商品入力欄２３１は、登録する商品の概要を入力するために用いられる。例えば、「××ドラマで俳優△△が使用したバット」等の商品を説明する情報が入力される。
【００６２】
商品名入力欄２３２は、登録する商品の商品名や型番等の情報を入力するために用いられる。商品画像データ入力欄２３３は、登録する商品の画像に関する情報を入力するために用いられる。なお、商品名入力欄２３２及び商品画像データ入力欄２３３に入力された情報は、商品を探索したユーザが当該商品が真正の物であるか否かを判別するために、また、商品を登録したユーザの順序を判定するために用いられる。
【００６３】
販売サイト・リンク情報入力欄２３４は、登録する商品を販売するサイト及びそのリンク情報（ＵＲＬ）を入力するために用いられる。なお、販売サイト・リンク情報入力欄２３４に入力された情報は、権利付与サーバ１が商品購入情報やアフィリエイト情報を送信する商品販売サーバ７を特定するために用いられる。
【００６４】
登録者情報入力欄２３５は、商品を登録するユーザを識別するための情報を入力するために用いられる。なお、登録者情報入力欄２３５に入力された情報は、権利付与サーバ１が収入権を付与するユーザを特定するために、また、商品販売サーバ７が報酬を付与するユーザを特定するために用いられる。
【００６５】
これらの入力欄に情報を入力し、登録ボタン２３６を操作すると、入力した情報に基づいて商品登録が行われる。なお、入力欄の種別についてはこれらのものに限られるものではない。即ち、商品を探索するユーザが商品を特定することができる情報（商品名入力欄２３２、商品画像データ入力欄２３３）、商品を販売するサイトを特定することができる情報（販売サイト・リンク情報入力欄２３４）、商品登録を行ったユーザを特定することができる情報（登録者情報入力欄２３５）、を少なくとも含むものであればよく、任意に設定することができる。
【００６６】
［商品探索画面］
次に、図６を参照して、商品探索ボタン２１３が操作された場合の商品探索画面２５０，２７０について説明する。
【００６７】
初めに図６（１）を参照して商品探索画面２５０について説明する。商品探索画面２５０には、「××ドラマ」において「俳優△△が、第３回放送で使用したバット」が「ユーザＸ」により登録されたことが表示される。また、この「バット」が「ＡＢＣ社製」の「ＤＥＦ」という商品であることが、商品の画像と共に表示される。
【００６８】
商品を探索するユーザは、対象製品の説明やその画像や商品名から当該商品が自らが望む商品であるかを判別することができる。そして、ユーザが望む商品である場合には、購入ボタン２５５を操作することにより、購入の意思を表示することができる。
【００６９】
このように、ＴＶ放送で使用された商品を、一般のユーザが登録することとしているため、使用された商品を網羅的に登録することができ、ユーザが望む商品を適切に登録することができる。即ち、商品登録に関して、商品を購入する立場であるユーザの意思を反映させることができる。
【００７０】
また、収入権は最初に商品を登録したユーザに与えられるため、ＴＶ放送で使用された商品は、ＴＶ放送後早急に（即ち、ＴＶ放送に連動して）登録されることが期待できる。これにより、ＴＶ放送を視聴したユーザがＴＶ放送で使用された商品の購入を望んだ場合には、ＴＶ放送後すぐに当該商品を探索することができる。
【００７１】
ここで、一般のユーザが商品登録を行う場合、当該商品が本当にメディアやイベントで使用された商品であるか保証することができない。そこで、本実施の形態では、商品を探索したユーザにより登録された商品がメディアやイベントで使用された物であるか否かを客観的に評価することとしている。
【００７２】
［商品探索画面２］
図６（２）は、登録された商品についての客観的な評価が行われる商品探索画面２７０を示している。商品探索画面２７０には、「俳優△△が使用したバット」について、「ＡＢＣ社製」のバット「ＤＥＦ」に加えて、「ＧＨＩ社製」のバット「ＪＫＬ」が表示されている。また、購入ボタン２５５，２７５に加え、これ違うボタン２５８，２７８が表示されている。
【００７３】
これ違うボタン２５８，２７８は、商品を探索したユーザによる客観的な評価を行うために用いられる。即ち、ユーザが、登録された商品がメディアやイベントで使用された商品ではないと判断した場合には、これ違うボタン２５８，２７８を操作することで、当該商品がメディアやイベントで使用された商品ではないという評価を行うことができる。
【００７４】
商品探索画面２７０によると、「ＡＢＣ社製」のバット「ＤＥＦ」について「××ドラマ」で使用された商品ではないという評価をしたユーザは「０人」であるのに対して、「ＧＨＩ社製」のバット「ＪＫＬ」について「××ドラマ」で使用された商品ではないという評価をしたユーザは「２０人」であることを把握することができる。これにより、「ＡＢＣ社製」のバット「ＤＥＦ」の方が「××ドラマ」で使用されていた商品らしいという一定の評価を行うことができ、結果、商品の購入を望むユーザが誤った商品を購入することを防止することができる。
【００７５】
なお、商品探索画面２７０には、販売数も表示されるところ、「ＡＢＣ社製」のバット「ＤＥＦ」が「２５個」販売されているのに対して、「ＧＨＩ社製」のバット「ＪＫＬ」は「２個」しか販売されていない。このような販売数の情報からも、登録された商品がメディアやイベントで使用された商品であるか否かについての一定の評価を行うことができる。
【００７６】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【図面の簡単な説明】
【００７７】
【図１】アフィリエイト権利付与システムの全体構成を示す図である。
【図２】権利付与サーバのハードウェア構成を示す図である。
【図３】アフィリエイト権利付与システムの基本処理のフローチャートである。
【図４】商品登録及び商品探索の受付画面の一例を示す図である。
【図５】商品登録画面の一例を示す図である。
【図６】商品探索画面の一例を示す図である。
【符号の説明】
【００７８】
１      権利付与サーバ
３      商品登録者端末
５      商品購入者端末
７      商品販売サーバ
１１    商品登録受付手段
１２    アフィリエイト収入権付与手段
１３    商品ページ提供手段
１４    商品探索受付手段
１５    商品購入受付手段
１６    商品購入情報送信手段
１７    アフィリエイト情報送信手段
【図１】
2010102634.tif 000003
【図２】
2010102634.tif 000004
【図３】
2010102634.tif 000005
【図４】
2010102634.tif 000006
【図５】
2010102634.tif 000007
【図６】
2010102634.tif 000008
【手続補正書】
【提出日】平成21年12月7日(2009.12.7)
【手続補正１】
【補正対象書類名】特許請求の範囲
【補正対象項目名】全文
【補正方法】変更
【補正の内容】
【特許請求の範囲】
【請求項１】
様々なメディアやイベントと関連する商品についての情報を、前記メディアや前記イベントと連動して提供するサーバであって、
商品販売サイトを運営する商品販売サーバ及びユーザ端末と通信可能に接続され、
前記商品販売サーバで販売される前記商品を前記メディアや前記イベントと関連付けて登録する登録情報を、前記ユーザ端末から受け付ける商品登録受付手段と、
前記登録情報により登録された前記商品が販売された場合に付与される報酬を受け取る権利を、前記登録を行った前記ユーザ端末のうち登録の早い順序に応じて順序づけされた前記ユーザ端末に付与するアフィリエイト収入権付与手段と、
前記登録情報に基づいて、前記商品を掲載し、掲載された前記商品の購入に関する情報及び前記商品について前記権利が付与された前記ユーザ端末の情報を前記商品販売サーバに送信する送信手段と、
を備えるサーバ。
【請求項２】
前記商品の登録及び探索を行うための商品登録・探索ページを、前記メディアや前記イベントと関連付けて提供する登録探索提供手段をさらに備える請求項１に記載のサーバ。
【請求項３】
前記商品登録・探索ページは、前記メディアや前記イベントのスケジュール表である請求項２に記載のサーバ。
【請求項４】
商品ページ提供手段により掲載された前記商品が前記メディアや前記イベントと関連するか否かについて、前記ユーザ端末からの評価を受け付ける評価受付手段をさらに備える請求項１から３のいずれかに記載のサーバ。
【請求項５】
制御部を備えるコンピュータが、様々なメディアやイベントと関連する商品についての情報を、前記メディアや前記イベントと連動して提供する方法であって、
前記制御部が、
商品販売サイトを運営する商品販売サーバで販売される前記商品を前記メディアや前記イベントと関連付けて登録する登録情報を、ユーザ端末から受け付けるステップと、
前記登録を行った前記ユーザ端末のうち登録の早い順序に応じて順序づけされた前記ユーザ端末を、前記登録情報により登録された前記商品が販売された場合に付与される報酬を受け取る権利を有する前記ユーザ端末として記憶するステップと、
前記登録情報に基づいて、前記商品を掲載し、掲載された前記商品の購入に関する情報及び前記商品について前記権利が付与された前記ユーザ端末の情報を前記商品販売サーバに送信するステップと、
を備える方法。
【手続補正２】
【補正対象書類名】明細書
【補正対象項目名】全文
【補正方法】変更
【補正の内容】
【発明の詳細な説明】
【技術分野】
【０００１】
本発明は、様々なメディアやイベントと関連する商品についての情報を、これらメディアやイベントと連動して提供するサーバ及びその方法に関する。
【背景技術】
【０００２】
今日ではＷｅｂページ上の広告方法として、広告主により用意され広告主のページへ遷移するリンク等をユーザが選択すると、このリンクの情報を有するＷｅｂページの管理者に、広告主から報酬が支払われるアフィリエイトという仕組みが知られている。
【０００３】
このようなアフィリエイトシステムとして、例えば、特許文献１には、仮想店舗サイトの広告を掲載し、この広告をクリックしたユーザが当該仮想店舗において商品を購入した場合に、広告を掲載したＷｅｂページの管理者に紹介手数料が支払われる仕組みが記載されている。
【特許文献１】特開２００２−０５６２９５号公報
【発明の開示】
【発明が解決しようとする課題】
【０００４】
また、近年においては、ドラマ等のＴＶ放送（メディア）やコンサート等のイベントにおいて出演者が使用している商品の入手を視聴者が望むことがあり、視聴者のニーズに応えるため、メディアやイベントの出演者と関連付けてこのような商品を紹介することが行われるようになってきている。そして、このような場合における商品の紹介においても上述のアフィリエイトシステムが用いられている。
【０００５】
しかしながら、現状においては、このような商品の紹介は商品を販売する業者や、メディアやイベントを管理する業者により登録されるものであり、当該業者の思惑によっては紹介されない商品もあり、メディアやイベントで使用された商品が網羅的に紹介されることはなかった。また、商品を紹介するタイミングも業者の思惑によって異なることがあり、使用された後時間がたってから商品が紹介される場合もあった。
【０００６】
そこで、本発明は、メディアやイベントにおいて使用された商品を、メディアやイベントと連動して即時にかつ網羅的に紹介するアフィリエイトシステムを実現可能なサーバ及びその方法を提供することを目的とする。
【課題を解決するための手段】
【０００７】
（１）  様々なメディアやイベントと関連する商品についての情報を、前記メディアや前記イベントと連動して提供するサーバであって、
商品販売サイトを運営する商品販売サーバ及びユーザ端末と通信可能に接続され、
前記商品販売サーバで販売される前記商品を前記メディアや前記イベントと関連付けて登録する登録情報を、前記ユーザ端末から受け付ける商品登録受付手段と、
前記登録情報により登録された前記商品が販売された場合に付与される報酬を受け取る権利を、前記登録を行った前記ユーザ端末のうち登録の早い順序に応じて順序づけされた前記ユーザ端末に付与するアフィリエイト収入権付与手段と、
前記登録情報に基づいて、前記商品を掲載し、掲載された前記商品の購入に関する情報及び前記商品について前記権利が付与された前記ユーザ端末の情報を前記商品販売サーバに送信する送信手段と、
を備えるサーバ。
【０００８】
本発明のこのような構成によれば、アフィリエイト収入権付与手段は、メディアやイベントで使用された商品を登録したユーザ端末のうち登録の早い順序に応じて順序づけされたユーザ端末に報酬を受け取る権利を付与する。これにより、メディアやイベントが行われると、当該メディアやイベントで使用された商品は、ユーザ端末のユーザにより早急に登録されることが期待でき、商品の登録をメディアやイベントと連動して行うことができる。
また、商品の登録はユーザ端末により行われるため、商品を販売する業者や、メディアやイベントを管理する業者の思惑とは関係なく、商品の登録が行われる。これにより、メディアやイベントで使用された商品は網羅的に登録されることとなり、ユーザは様々な商品を選択することができる。
【０００９】
その結果、本発明の構成によれば、メディアやイベントにおいて使用された商品を、メディアやイベントと連動して即時にかつ網羅的に紹介するアフィリエイトシステムを実現することができる。
【００１０】
（２）  前記商品の登録及び探索を行うための商品登録・探索ページを、前記メディアや前記イベントと関連付けて提供する登録探索提供手段をさらに備える（１）に記載のサーバ。
【００１１】
本発明のこのような構成によれば、ユーザは、使用されたメディアやイベントと関連したページから商品の登録及び探索を行うことができる。その結果、使用されたメディアやイベントと関連付けた商品の登録を容易に行うことができ、また、目的とする商品を容易に探索することができる。
【００１２】
（３）  前記商品登録・探索ページは、前記メディアや前記イベントのスケジュール表である（２）に記載のサーバ。
【００１３】
本発明のこのような構成によれば、商品の登録及び探索を容易に行うことができる。
【００１４】
（４）  商品ページ提供手段により掲載された前記商品が前記メディアや前記イベントと関連するか否かについて、前記ユーザ端末からの評価を受け付ける評価受付手段をさらに備える（１）から（３）のいずれかに記載のサーバ。
【００１５】
本発明のこのような構成によれば、登録された商品がメディアやイベントで真に使用された商品であるかについて、客観的な評価を受けることができる。
【００１６】
（５）  制御部を備えるコンピュータが、様々なメディアやイベントと関連する商品についての情報を、前記メディアや前記イベントと連動して提供する方法であって、
前記制御部が、
商品販売サイトを運営する商品販売サーバで販売される前記商品を前記メディアや前記イベントと関連付けて登録する登録情報を、ユーザ端末から受け付けるステップと、
前記登録を行った前記ユーザ端末のうち登録の早い順序に応じて順序づけされた前記ユーザ端末を、前記登録情報により登録された前記商品が販売された場合に付与される報酬を受け取る権利を有する前記ユーザ端末として記憶するステップと、
前記登録情報に基づいて、前記商品を掲載し、掲載された前記商品の購入に関する情報及び前記商品について前記権利が付与された前記ユーザ端末の情報を前記商品販売サーバに送信するステップと、
を備える方法。
【００１７】
（５）のような構成によれば、（１）と同様の効果を奏することができる。
【発明の効果】
【００１８】
本発明によれば、メディアやイベントにおいて使用された商品を、メディアやイベントと連動して即時にかつ網羅的に紹介するアフィリエイトシステムを実現することができる。
【発明を実施するための最良の形態】
【００１９】
以下、本発明を実施するための最良の形態について図を参照しながら説明する。なお、これはあくまでも一例であって、本発明の技術的範囲はこれに限られるものではない。
【００２０】
（実施形態）
［アフィリエイト権利付与システムの全体構成］
図１は、本実施形態に係る権利付与サーバ１を含むアフィリエイト権利付与システム１００の全体構成を示す図である。
【００２１】
アフィリエイト権利付与システム１００は、権利付与サーバ１と、商品登録者端末３と、商品購入者端末５と、商品販売サーバ７と、により構成される。なお、これら各種のサーバ及び端末は、インターネット等の通信回線に代表される通信ネットワークを介して、互いに通信可能に接続されている。
【００２２】
権利付与サーバ１は、商品登録受付手段１１と、アフィリエイト収入権付与手段１２と、商品ページ提供手段１３と、商品探索受付手段１４と、商品購入受付手段１５と、商品購入情報送信手段１６と、アフィリエイト情報送信手段１７と、を備える。
【００２３】
商品登録受付手段１１は、商品登録を行う一般のユーザの端末（商品登録者端末３）から、テレビ、雑誌等の各種メディアやコンサート等のイベントで使用された商品に関する情報の登録を受け付ける。アフィリエイト収入権付与手段１２は、登録した商品が購入された場合に報酬を受けることができる権利（収入権）を、商品を登録したユーザに付与する。具体的には、登録した商品と登録したユーザとを対応付けて図示しない記憶手段に記憶する。なお、同一の商品についての収入権の付与は２以上のユーザには行われず、最も早く登録したユーザにのみ収入権の付与が行われる。
【００２４】
商品ページ提供手段１３は、登録された商品を紹介する商品ページを作成し、インターネット上に提供する。商品探索受付手段１４は、メディアやイベントで使用された商品を望むユーザ（商品購入者）による当該商品の探索を受け付ける。なお、本実施の形態では、テレビ・映画・演劇等のスケジュール表（番組表）を提供することで、メディアやイベントで使用された商品を探索しやすくしている（図４参照）。商品購入受付手段１５は、商品購入者による、提供された商品ページに掲載された商品に対する商品購入の選択を受け付ける。
【００２５】
商品購入情報送信手段１６は、購入される商品及び購入するユーザについての情報（商品購入情報）を、商品販売サーバ７に送信する。なお、購入される商品を販売している商品販売サーバ７は、商品登録者が登録した情報（例えば、販売社情報（販売サイト、リンク情報））により特定する。アフィリエイト情報送信手段１７は、商品を登録したユーザ、即ち商品が販売されることにより報酬を受けるべきユーザ、についての情報（アフィリエイト情報）を、商品販売サーバ７に送信する。
【００２６】
商品登録者端末３及び商品購入者端末５は、ユーザが操作入力をするためのキーボード、マウス等の入力部や、コンテンツを表示する表示画面を備えた装置である。商品登録者端末３及び商品購入者端末５を用いて、ユーザは、メディアやイベントで使用された商品を登録したり、登録された商品を購入したりすることができる。商品販売サーバ７は、商品販売サイトを運営するためのサーバである。
【００２７】
商品販売サーバ７の運営する商品販売サイトの商品が購入されると、商品販売サーバ７は、商品購入者に代金の支払いを求め商品の提供を行うと共に、商品登録者に商品が購入されたことに伴う報酬を付与する。
【００２８】
［権利付与サーバ１のハードウェア構成図］
図２は、本実施の形態に係る権利付与サーバ１のハードウェア構成を示す図である。本発明が実施されるサーバは標準的なものでよく、以下に構成の一例を示す。なお、権利付与サーバ１は、ハードウェアの数に制限はなく、必要に応じて１又は複数のハードウェアで構成してよい。また、複数のハードウェアで構成する場合には、通信ネットワークを介して各ハードウェアを接続してもよい。例えば、各機能毎に別サーバとし、各サーバ間での信号の送受信により、各サーバを連携させることで、本実施の形態における機能を実現してもよい。
【００２９】
権利付与サーバ１は、制御部１０を構成するＣＰＵ（Ｃｅｎｔｒａｌ  Ｐｒｏｃｅｓｓｉｎｇ  Ｕｎｉｔ）１（以下「ＣＰＵ１０１０」といい、マルチプロセッサ構成ではＣＰＵ２（以下「ＣＰＵ１０１２」という）等複数のＣＰＵが追加されてもよい）、バスライン１００５、通信Ｉ／Ｆ（Ｉ／Ｆ：インターフェイス）１０４０、メインメモリ１０５０、ＢＩＯＳ（Ｂａｓｉｃ  Ｉｎｐｕｔ  Ｏｕｔｐｕｔ  Ｓｙｓｔｅｍ）１０６０、表示装置１０２２、Ｉ／Ｏコントローラ１０７０、キーボード及びマウス等の入力装置１１００、ハードディスク１０７４、光ディスクドライブ１０７６並びに半導体メモリ１０７８を備える。なお、ハードディスク１０７４、光ディスクドライブ１０７６及び半導体メモリ１０７８はまとめて記憶部２０と呼ぶ。
【００３０】
制御部１０は、権利付与サーバ１を統括的に制御する部分であり、ハードディスク１０７４に記憶された各種プログラムを適宜読み出して実行することにより、上述したハードウェアと協働し、本発明に係る各種機能を実現している。
【００３１】
通信Ｉ／Ｆ１０４０は、権利付与サーバ１が、通信ネットワークを介して商品登録者端末３、商品購入者端末５及び商品販売サーバ７（図１）と情報を送受信する場合のネットワーク・アダプタである。通信Ｉ／Ｆ１０４０は、モデム、ケーブル・モデム及びイーサネット（登録商標）・アダプタを含んでよい。
【００３２】
ＢＩＯＳ１０６０は、権利付与サーバ１の起動時にＣＰＵ１０１０が実行するブートプログラムや、権利付与サーバ１のハードウェアに依存するプログラム等を記録する。
【００３３】
表示装置１０２２は、ブラウン管表示装置（ＣＲＴ）、液晶表示装置（ＬＣＤ）等のディスプレイ装置を含む。
【００３４】
Ｉ／Ｏコントローラ１０７０には、ハードディスク１０７４、光ディスクドライブ１０７６及び半導体メモリ１０７８等の記憶装置である記憶部２０を接続することができる。
【００３５】
入力装置１１００は、権利付与サーバ１の管理者による入力の受け付けを行うものである。
【００３６】
ハードディスク１０７４は、本ハードウェアを権利付与サーバ１として機能させるための各種プログラム、本発明の機能を実行するプログラム並びにＤＢのテーブル及びレコードを記憶する。なお、権利付与サーバ１は、外部に別途設けたハードディスク（図示せず）を外部記憶装置として利用することもできる。
【００３７】
光ディスクドライブ１０７６としては、例えば、ＤＶＤ−ＲＯＭドライブ、ＣＤ−ＲＯＭドライブ、ＤＶＤ−ＲＡＭドライブ、ＣＤ−ＲＡＭドライブを使用することができる。この場合は各ドライブに対応した光ディスク１０７７を使用する。光ディスク１０７７から光ディスクドライブ１０７６によりプログラム又はデータを読み取り、Ｉ／Ｏコントローラ１０７０を介してメインメモリ１０５０又はハードディスク１０７４に提供することもできる。
【００３８】
なお、本発明でいうコンピュータとは、記憶装置、制御部等を備えた情報処理装置をいい、権利付与サーバ１は、記憶部２０、制御部１０等を備えた情報処理装置により構成され、この情報処理装置は、本発明のコンピュータの概念に含まれる。
【００３９】
［商品登録者端末３、商品購入者端末５、商品販売サーバ７のハードウェア構成］
商品登録者端末３、商品購入者端末５及び商品販売サーバ７も、上述の権利付与サーバ１と同様な構成を持つ。なお、記憶部２０は、光ディスクドライブ１０７６に代えて外部メモリを挿入可能なドライブであってもよい。
【００４０】
［アフィリエイト権利付与システム１００の基本処理］
図３を参照してアフィリエイト権利付与システム１００の基本処理、即ち、様々なメディアやイベントと関連する商品についての情報をメディアやイベントと連動して提供する方法について説明する。
【００４１】
Ｓ１１：権利付与サーバ１は、商品登録受付ページを提供し、ユーザからの商品登録を受け付ける。なお、商品登録受付ページとしては、テレビ番組表等の各種スケジュール表を提供することで、メディアやイベントで使用された商品の登録を受け付けやすくすることができる。
【００４２】
Ｓ３１：商品登録者端末３は、提供された商品登録受付ページから該当するメディアやイベントで使用された商品を登録する。
【００４３】
Ｓ１２：商品登録を受け付けると、権利付与サーバ１のアフィリエイト収入権付与手段１２は、登録したユーザに収入権を付与する。なお、同一の商品についての収入権の付与は最も早く商品登録を行った１のユーザにのみ行われる。
【００４４】
Ｓ１３：また、権利付与サーバ１の商品ページ提供手段１３は、登録された商品の情報を掲載した商品ページを提供する。
【００４５】
Ｓ５１、Ｓ５２：商品ページが提供されると、商品購入者端末５は、この商品ページを参照してユーザが望む商品を探索し、ユーザの意志に基づいて商品購入の選択を行う。
【００４６】
Ｓ１４：権利付与サーバ１の商品購入受付手段１５が商品購入者端末５から商品購入の選択を受け付けると、商品購入情報送信手段１６は商品購入情報を商品販売サーバ７に送信し、アフィリエイト情報送信手段１７はアフィリエイト情報を商品販売サーバ７に送信する。
【００４７】
Ｓ７１、Ｓ５３：購入される商品及び商品購入者についての情報が送信されると、商品販売サーバ７は、商品購入者（商品購入者端末５）との間で商品の提供及び代金支払いのやり取りを行う。
【００４８】
Ｓ７２：代金の支払いを受けると、商品販売サーバ７は、商品登録者に商品が購入されたことに伴う報酬を付与する。
【００４９】
このように本実施の形態によれば、アフィリエイトによる報酬が、最も早く商品登録を行ったユーザに付与されるため、メディアやイベントで使用された商品は、メディアやイベントに連動して直ちに登録されることになり、商品宣伝について即時性に富んだものとすることができる。
【００５０】
また、一般のユーザにより商品登録が行われるため、使用された商品を網羅的に登録することができ、メディアやイベントの管理者や商品を販売する業者の思惑に関わらず、真にユーザが望む商品の登録を期待することができる。
【００５１】
なお、本実施の形態では、アフィリエイト情報は、商品購入を受け付けたときに商品購入情報と合わせて送信することとしている（Ｓ１４）が、これに限られるものではなく、例えば、Ｓ１２において収入権を商品登録者に付与すると共にアフィリエイト情報を商品販売サーバ７に送信することとしてもよい。
【００５２】
［アフィリエイト権利付与システム１００の基本動作］
このような処理に基づくアフィリエイト権利付与システム１００の基本動作について、図４〜図６を参照して説明する。
【００５３】
［商品登録の受付及び商品探索の受付］
図４は、商品登録の受付及び商品探索の受付の具体例を示す図である。
【００５４】
権利付与サーバ１は、メディアやイベントで使用された商品の登録及び探索を受け付けるために、商品登録・探索ページを提供する。なお、商品登録・探索ページとしては各種スケジュール表のようなものが考えられるが、本実施の形態では、商品登録・探索ページとして、テレビの番組表２０１を用いて説明する。
【００５５】
番組表２０１には、テレビ番組を紹介する欄に商品登録受付ボタン２１１及び商品探索ボタン２１３が表示される。ユーザは、商品登録受付ボタン２１１を操作することにより、当該番組で使用された商品を登録することができ、また、商品探索ボタン２１３を操作することにより、当該番組で使用された商品を探索することができる。
【００５６】
例えば、商品登録者ＸがＴＶを視聴し「××ドラマ」で「主演△△」が使用している「バット」を登録しようとした場合には、商品登録者Ｘは権利付与サーバ１が提供する番組表２０１の商品登録受付ボタン２１１を操作する。同様に、「××ドラマ」を視聴した商品購入者Ｙが、当該ドラマで使用されていた商品の購入を望んだ場合には、権利付与サーバ１が提供する番組表２０１の商品探索ボタン２１３を操作することで、既に登録されている商品の探索を行うことができる。
【００５７】
［商品登録画面］
次に、図５を参照して、商品登録受付ボタン２１１が操作された場合の商品登録画面２３０について説明する。商品登録画面２３０には、対象商品入力欄２３１と、商品名入力欄２３２と、商品画像データ入力欄２３３と、販売サイト、リンク情報入力欄２３４と、登録者情報入力欄２３５と、登録ボタン２３６と、が表示される。
【００５８】
対象商品入力欄２３１は、登録する商品の概要を入力するために用いられる。例えば、「××ドラマで俳優△△が使用したバット」等の商品を説明する情報が入力される。
【００５９】
商品名入力欄２３２は、登録する商品の商品名や型番等の情報を入力するために用いられる。商品画像データ入力欄２３３は、登録する商品の画像に関する情報を入力するために用いられる。なお、商品名入力欄２３２及び商品画像データ入力欄２３３に入力された情報は、商品を探索したユーザが当該商品が真正の物であるか否かを判別するために、また、商品を登録したユーザの順序を判定するために用いられる。
【００６０】
販売サイト、リンク情報入力欄２３４は、登録する商品を販売するサイト及びそのリンク情報（ＵＲＬ）を入力するために用いられる。なお、販売サイト、リンク情報入力欄２３４に入力された情報は、権利付与サーバ１が商品購入情報やアフィリエイト情報を送信する商品販売サーバ７を特定するために用いられる。
【００６１】
登録者情報入力欄２３５は、商品を登録するユーザを識別するための情報を入力するために用いられる。なお、登録者情報入力欄２３５に入力された情報は、権利付与サーバ１が収入権を付与するユーザを特定するために、また、商品販売サーバ７が報酬を付与するユーザを特定するために用いられる。
【００６２】
これらの入力欄に情報を入力し、登録ボタン２３６を操作すると、入力した情報に基づいて商品登録が行われる。なお、入力欄の種別についてはこれらのものに限られるものではない。即ち、商品を探索するユーザが商品を特定することができる情報（商品名入力欄２３２、商品画像データ入力欄２３３）、商品を販売するサイトを特定することができる情報（販売サイト・リンク情報入力欄２３４）、商品登録を行ったユーザを特定することができる情報（登録者情報入力欄２３５）、を少なくとも含むものであればよく、任意に設定することができる。
【００６３】
［商品探索画面］
次に、図６を参照して、商品探索ボタン２１３が操作された場合の商品探索画面２５０、２７０について説明する。
【００６４】
初めに図６（１）を参照して商品探索画面２５０について説明する。商品探索画面２５０には、「××ドラマ」において「俳優△△が、第３回放送で使用したバット」が「ユーザＸ」により登録されたことが表示される。また、この「バット」が「ＡＢＣ社製」の「ＤＥＦ」という商品であることが、商品の画像と共に表示される。
【００６５】
商品を探索するユーザは、対象製品の説明やその画像や商品名から当該商品が自らが望む商品であるかを判別することができる。そして、ユーザが望む商品である場合には、購入ボタン２５５を操作することにより、購入の意思を表示することができる。
【００６６】
このように、ＴＶ放送で使用された商品を、一般のユーザが登録することとしているため、使用された商品を網羅的に登録することができ、ユーザが望む商品を適切に登録することができる。即ち、商品登録に関して、商品を購入する立場であるユーザの意思を反映させることができる。
【００６７】
また、収入権は最初に商品を登録したユーザに与えられるため、ＴＶ放送で使用された商品は、ＴＶ放送後早急に（即ち、ＴＶ放送に連動して）登録されることが期待できる。これにより、ＴＶ放送を視聴したユーザがＴＶ放送で使用された商品の購入を望んだ場合には、ＴＶ放送後すぐに当該商品を探索することができる。
【００６８】
ここで、一般のユーザが商品登録を行う場合、当該商品が本当にメディアやイベントで使用された商品であるか保証することができない。そこで、本実施の形態では、商品を探索したユーザにより登録された商品がメディアやイベントで使用された物であるか否かを客観的に評価することとしている。
【００６９】
［商品探索画面２］
図６（２）は、登録された商品についての客観的な評価が行われる商品探索画面２７０を示している。商品探索画面２７０には、「俳優△△が使用したバット」について、「ＡＢＣ社製」のバット「ＤＥＦ」に加えて、「ＧＨＩ社製」のバット「ＪＫＬ」が表示されている。また、購入ボタン２５５、２７５に加え、これ違うボタン２５８、２７８が表示されている。
【００７０】
これ違うボタン２５８、２７８は、商品を探索したユーザによる客観的な評価を行うために用いられる。即ち、ユーザが、登録された商品がメディアやイベントで使用された商品ではないと判断した場合には、これ違うボタン２５８、２７８を操作することで、当該商品がメディアやイベントで使用された商品ではないという評価を行うことができる。
【００７１】
商品探索画面２７０によると、「ＡＢＣ社製」のバット「ＤＥＦ」について「××ドラマ」で使用された商品ではないという評価をしたユーザは「０人」であるのに対して、「ＧＨＩ社製」のバット「ＪＫＬ」について「××ドラマ」で使用された商品ではないという評価をしたユーザは「２０人」であることを把握することができる。これにより、「ＡＢＣ社製」のバット「ＤＥＦ」の方が「××ドラマ」で使用されていた商品らしいという一定の評価を行うことができ、結果、商品の購入を望むユーザが誤った商品を購入することを防止することができる。
【００７２】
なお、商品探索画面２７０には、販売数も表示されるところ、「ＡＢＣ社製」のバット「ＤＥＦ」が「２５個」販売されているのに対して、「ＧＨＩ社製」のバット「ＪＫＬ」は「２個」しか販売されていない。このような販売数の情報からも、登録された商品がメディアやイベントで使用された商品であるか否かについての一定の評価を行うことができる。
【００７３】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【図面の簡単な説明】
【００７４】
【図１】アフィリエイト権利付与システムの全体構成を示す図である。
【図２】権利付与サーバのハードウェア構成を示す図である。
【図３】アフィリエイト権利付与システムの基本処理のフローチャートである。
【図４】商品登録及び商品探索の受付画面の一例を示す図である。
【図５】商品登録画面の一例を示す図である。
【図６】商品探索画面の一例を示す図である。
【符号の説明】
【００７５】
１      権利付与サーバ
３      商品登録者端末
５      商品購入者端末
７      商品販売サーバ
１１    商品登録受付手段
１２    アフィリエイト収入権付与手段
１３    商品ページ提供手段
１４    商品探索受付手段
１５    商品購入受付手段
１６    商品購入情報送信手段
１７    アフィリエイト情報送信手段